(57)【特許請求の範囲】
【請求項１】
前面が開口する貯蔵室と、
前記貯蔵室の前面を開閉する引出式の扉と、
前記扉と共に前記貯蔵室内から引出される下部容器と、
前記下部容器に支持され、前記扉が閉鎖状態から引出されることに基づいて前記下部容器に追従して引出される上部容器と、
前記上部容器に支持され、前記扉が閉鎖状態から引出されることに基づいて前記上部容器に追従して引出される蓋と、
前記下部容器に設けられ、前記扉が閉鎖状態から引出されることに基づいて前記前記上部容器を落ち込ませる段差と、
前記上部容器が落ち込んだ状態で前記蓋に設けられた突部を係止して前記蓋の移動を停止させるストッパと
を備えたことを特徴とする冷蔵庫。
【請求項２】
前面が開口する貯蔵室と、
前記貯蔵室の前面を開閉する引出式の扉と、
前記扉と共に前記貯蔵室内から引出される下部容器と、
前記下部容器に支持され、前記扉が閉鎖状態から引出されることに基づいて前記下部容器に追従して引出される上部容器と、
前記上部容器に設けられ、上方へ突出する突部と、
前記扉の引出途中で前記突部を係止することに基づいて前記上部容器を移動停止させるストッパと、
前記下部容器に設けられ、前記下部容器が前記上部容器の移動停止状態で引出されることに基づいて前記上部容器を落ち込ませる段差とを備え、
前記ストッパは、前記上部容器が落ち込むことに基づいて前記突部の係止を解除するものであり、
前記上部容器には、前記扉が閉鎖状態から引出されることに基づいて前記上部容器に追従して引出される蓋が支持され、
前記蓋には、前記上部容器が落ち込んだ状態で前記ストッパに係止される突部が設けられていることを特徴とする冷蔵庫。
【請求項３】
上部容器の前端部には、下部容器によって支持されるローラが設けられ、
前記下部容器には、前記上部容器の後端部を支持する突状の容器支持部が設けられていることを特徴とする請求項１〜２のいずれかに記載の冷蔵庫。
【請求項４】
下部容器の段差は、前方から後方へ向うに従って下降する傾斜状をなしていることを特徴とする請求項１〜２のいずれかに記載の冷蔵庫。
【発明の詳細な説明】
【０００１】
【発明の属する技術分野】
本発明は、下部容器を扉と共に貯蔵室内から引出す構成の冷蔵庫に関する。
【０００２】
【発明が解決しようとする課題】
上記冷蔵庫には、下部容器の上に上部容器を載せ、▲１▼扉の引出時に上部容器を下部容器と共に引出したり、▲２▼扉の引出時に上部容器を貯蔵室内に残して下部容器のみを引出す構成のものがある。しかしながら、構成▲１▼の場合には扉の開放状態で下部容器に対して貯蔵品を出入れするときに上部容器を持上げる手間が必要になり、構成▲２▼の場合には上部容器に対して貯蔵品を出入れするときに上部容器を掴んで貯蔵室内から引出す手間が必要になる。
【０００３】
本発明は上記事情に鑑みてなされたものであり、その目的は、上部容器および下部容器の双方に対して貯蔵品を簡単に出入れできる使い勝手の良い冷蔵庫を提供することにある。
【０００４】
【課題を解決するための手段】
請求項１記載の冷蔵庫は、前面が開口する貯蔵室と、前記貯蔵室の前面を開閉する引出式の扉と、前記扉と共に前記貯蔵室内から引出される下部容器と、前記下部容器に支持され前記扉が閉鎖状態から引出されることに基づいて前記下部容器に追従して引出される上部容器と、前記上部容器に支持され前記扉が閉鎖状態から引出されることに基づいて前記上部容器に追従して引出される蓋と、前記下部容器に設けられ前記扉が閉鎖状態から引出されることに基づいて前記前記上部容器を落ち込ませる段差と、前記上部容器が落ち込んだ状態で前記蓋に設けられた突部を係止して前記蓋の移動を停止させるストッパとを備えたところに特徴を有している。
上記手段によれば、蓋の移動停止状態で上部容器が引出される。このため、蓋が上部容器に対して後方へ位置ずれするので、上部容器に対する貯蔵品の出入れ作業性が蓋の影響で悪化することが防止される。
【０００５】
請求項２記載の冷蔵庫は、前面が開口する貯蔵室と、前記貯蔵室の前面を開閉する引出式の扉と、前記扉と共に前記貯蔵室内から引出される下部容器と、前記下部容器に支持され前記扉が閉鎖状態から引出されることに基づいて前記下部容器に追従して引出される上部容器と、前記上部容器に設けられ上方へ突出する突部と、前記扉の引出途中で前記突部を係止することに基づいて前記上部容器を移動停止させるストッパと、前記下部容器に設けられ前記下部容器が前記上部容器の移動停止状態で引出されることに基づいて前記上部容器を落ち込ませる段差とを備え、前記ストッパは前記上部容器が落ち込むことに基づいて前記突部の係止を解除するものであり、前記扉が閉鎖状態から引出されることに基づいて前記上部容器に追従して引出される蓋が前記上部容器に支持され、前記上部容器が落ち込んだ状態で前記ストッパに係止される突部が前記蓋に設けられているところに特徴を有している。
上記手段によれば、扉を閉鎖状態から引出すと、下記１）〜３）に示すように、扉の開放状態で上部容器が貯蔵室内から突出するので、上部容器に対して貯蔵品を容易に出入れできる。しかも、扉の開放状態で上部容器が下部容器に対して後方へ位置ずれするので、下部容器に対して貯蔵品を容易に出入れできる。また、蓋の移動停止状態で上部容器が引出される。このため、蓋が上部容器に対して後方へ位置ずれするので、上部容器に対する貯蔵品の出入れ作業性が蓋の影響で悪化することが防止される。
１）上部容器が下部容器に追従して引出される。
２）上部容器の突部がストッパに当る。そして、上部容器の移動停止状態で下部容器が引出され、上部容器が下部容器に対して後方へ位置ずれする。
３）上部容器が落ち込むことに基づいて上部容器の突部とストッパとの係合が解除され、上部容器が下部容器に対して後方へ位置ずれしたまま貯蔵室の前面から突出するまで下部容器に追従して引出される。
【０００６】
請求項３記載の冷蔵庫は、下部容器によって支持されるローラが上部容器の前端部に設けられ、前記上部容器の後端部を支持する突状の容器支持部が前記下部容器に設けられているところに特徴を有している。
上記手段によれば、上部容器の前端部および後端部の双方にローラを装着する必要がなくなるので、構成が簡単になる。
【０００７】
請求項４記載の冷蔵庫は、下部容器の段差が前方から後方へ向うに従って下降する傾斜状をなしているところに特徴を有している。
上記手段によれば、上部容器が傾斜状の段差に沿って除々に落ち込むので、上部容器が落ち込むときに異音が生じることが防止される。
【０００８】
【発明の実施の形態】
以下、本発明の一実施例を図面に基づいて説明する。冷蔵庫本体１は、図６の（ａ）に示すように、前面が開口する縦長な箱状をなすものであり、外箱２の内部に内箱３を組合わせ、外箱２と内箱３との間の空間部に発泡ウレタン等の断熱材４を充填することに基づいて構成されている。
【０００９】
冷蔵庫本体１の内部には合成樹脂製の水平な仕切板５が配設されている。この仕切板５の上方には冷蔵室６が形成されており、冷蔵室６の前端部にはＲ扉７が開閉可能に装着されている。また、仕切板５の下方には水平な断熱仕切壁８が配設されており、仕切板５と断熱仕切壁８との間には貯蔵室に相当する野菜室９が形成されている。この野菜室９の後部にはＲ冷気生成室１０が形成されており、Ｒ冷気生成室１０内にはＲエバポレータ１１が配設されている。
【００１０】
断熱仕切壁８の下方には、図６の（ｂ）に示すように、Ｌ字状をなす断熱仕切壁１２が配設されている。この断熱仕切壁１２の左側部には、図６の（ａ）に示すように、製氷室１３が形成されており、製氷室１３の前端部にはＩ扉１４が開閉可能に装着されている。また、水平な断熱仕切壁８とＬ字状の断熱仕切壁１２との間（製氷室１３の右側部）には切換室（図示せず）が形成されており、切換室の前端部には、図６の（ｂ）に示すように、Ｓ扉１５が開閉可能に装着されている。
【００１１】
製氷室１３および切換室の下方には、図６の（ａ）に示すように、貯蔵室に相当する冷凍室１６が形成されている。これら製氷室１３，切換室，冷凍室１６の３室の後部にはＦ冷気生成室１７が形成されており、Ｆ冷気生成室１７内にはＦエバポレータ１８が配設されている。尚、水平な断熱仕切壁８およびＬ字状の断熱仕切壁１２は合成樹脂製の仕切壁ケース内に発泡スチロール製の断熱材を収納することに基づいて構成されている。
【００１２】
仕切板５，水平な断熱仕切壁８，Ｌ字状の断熱仕切壁１２には前端部に位置して合成樹脂製の仕切ケース１９が固定されている。これら各仕切ケース１９は、図１に示すように、前面が開口する断面コ字状をなすものであり、各仕切ケース１９内には発泡スチロール製の断熱材２０およびＵ字状の金属パイプ２１が収納されている。また、各仕切ケース１９には金属製の仕切カバー２２が固定されている。これら各仕切カバー２２は仕切ケース１９の前面を塞ぐものであり、各金属パイプ２１は仕切カバー２２の後面に密着している。
【００１３】
冷蔵庫本体１の最底部には、図６の（ａ）に示すように、機械室２３が形成されており、機械室２３内にはコンプレッサ２４が配設されている。このコンプレッサ２４の吐出口にはＲエバポレータ１１およびＦエバポレータ１８が接続されており、Ｒエバポレータ１１およびＦエバポレータ１８にはコンプレッサ２４から冷媒が与えられる。また、各金属パイプ２１はＲエバポレータ１１およびＦエバポレータ１８の上流側に介在されており、仕切カバー２２を冷媒の熱により加熱し、仕切カバー２２に露が付着することを防止する。
【００１４】
Ｒ冷気生成室１０内およびＦ冷気生成室１７内にはＲファン装置２５およびＦファン装置２６が配設されており、Ｆファン装置２６が作動すると、冷凍室１６内からＦ冷気生成室１７内に空気が吸引され、Ｆエバポレータ１８を経由して製氷室１３内および冷凍室１６内に送風される。このとき、Ｆエバポレータ１８と空気との間で熱交換が行われ、製氷室１３内および冷凍室１６内に送風される風が冷風化される。
【００１５】
Ｒファン装置２５が作動すると、野菜室９内からＲ冷気生成室１０内に空気が吸引され、Ｒエバポレータ１１を経由して上方の送風ダクト２７内に送風される。このとき、Ｒエバポレータ１１と空気との間で熱交換が行われ、送風ダクト２７内に送風される風が冷風化される。この送風ダクト２７は冷蔵室６内に開口する複数の送風口（図示せず）を有するものであり、送風ダクト２７内の冷風は複数の送風口を通して冷蔵室６内に送風され、冷蔵室６内から野菜室９内に循環する。
【００１６】
野菜室９内の左右両側部には、図７に示すように、レール２８が固定されている。これら各レール２８は前後方向へ延びる板状をなすものであり、各レール２８には複数のローラ２９（１個のみ図示する）の回転軸３０が固定されている。また、左側部に位置する複数のローラ２９上および右側部に位置する複数のローラ２９上には断面コ字状のアーム３１が載置されている。これら各アーム３１は前後方向へ延びる板状をなすものであり、複数のローラ２９が回転することに基づいて前後方向へスライドする。
【００１７】
両アーム３１の前端部には、図１に示すように、Ｖ扉３２が固定されており、Ｖ扉３２および両アーム３１間の空間部には上方から下部容器３３が前後方向にずれ止めされた状態で着脱可能に嵌合されている。この下部容器３３は有色の合成樹脂を材料に形成されたものであり、上面が開口する矩形箱状をなしている。この下部容器３３には左側辺部，後辺部，右側辺部を囲うコ字状のフランジ３４が一体形成されており、フランジ３４は、図７に示すように、両アーム３１により支持されている。
【００１８】
下部容器３３の内面には左側部および右側部に位置して水平な第１の支持面３５が一体形成されている。これら各第１の支持面３５は、図１に示すように、前後方向へ直線的に延びるものであり、下部容器３３には各第１の支持面３５の後方に位置して水平な第２の支持面３６が一体形成されている。これら各第２の支持面３６は第１の支持面３５より低い部分に位置するものであり、前後方向へ直線的に延びている。
【００１９】
下部容器３３には各第１の支持面３５および第２の支持面３６間に位置して傾斜面３７が一体形成されている。これら各傾斜面３７は段差に相当するものであり、前方から後方へ向うに従って下降している。尚、第１の支持面３５の高さ位置と第２の支持面３６の高さ位置との差ΔＨ（＝段差の高さ寸法）は３ｍｍに設定されている。
【００２０】
下部容器３３には各第２の支持面３６の後端部に位置して突状の容器支持部３８が一体形成されており、両容器支持部３８上には上部容器３９の後端部が支持されている。この上部容器３９は透明な合成樹脂を材料に形成されたものであり、上面が開口する矩形箱状をなしている。この上部容器３９の前面には前方へ突出する手掛部４０が一体形成され、上部容器３９の後面には後方へ突出するリブ４１が一体形成されている。
【００２１】
上部容器３９の前端部には、図７に示すように、左右両側部に位置して一対のプレート４２が一体形成されている。これら各組のプレート４２間にはローラ４３の回転軸４４が固定されており、各ローラ４３は、図１に示すように、上部容器３３の第１の支持面３５上に支持されている。また、上部容器３９上には平板状の蓋４５が支持されている。この蓋４５は上部容器３９の上面を開閉するものであり、蓋４５の後面には壁部４６が一体形成されている。尚、蓋４５は透明な合成樹脂を材料に形成されたものである。
【００２２】
上部容器３９の上面には、図７に示すように、左右両側部に位置して突部４７が一体形成されており、各突部４７の前方にはストッパ４８が配設されている。これら各ストッパ４８は、図１に示すように、略Ｓ字状に湾曲する金属製の板ばねからなるものであり、断熱仕切壁８の仕切ケース１９の下面にねじ止めされている。
【００２３】
蓋４５の上面には、図７に示すように、左右両側部に位置して突部４９が一体形成されている。これら各突部４９は上部容器３９の突部４７より高さ寸法が大きく設定されたものであり、上部容器３９の突部４７の上方へ突出している。また、Ｖ扉３２の後面には、図１に示すように、パッキン５０が固定されている。このパッキン５０はＶ扉３２の外周部を囲う環状をなすものであり、Ｖ扉３２はパッキン５０が冷蔵庫本体１の前面に密着することに基づいて野菜室９の前面を閉鎖する（Ｖ扉３２の閉鎖状態）。
【００２４】
下部容器３３には各第１の支持面３５の前端部に位置して壁部５１が一体形成されており、Ｖ扉３２の閉鎖状態では上部容器３９の各プレート４２が壁部５１に接触し、上部容器３９の各ローラ４３が第１の支持面３５の前端部により支持されている。しかも、蓋４５の壁部４６が野菜室９の後壁に接触し、蓋４５の後方への移動が拘束されている。これと共に、上部容器３９のリブ４１が蓋４５の壁部４６に接触し、上部容器３９の上面が蓋４５により隙間なく塞がれ、上部容器３９の各突部４７および蓋４５の各突部４９が前後方向の略同一部分に位置している。
【００２５】
Ｖ扉３２が図１の閉鎖状態から前方へ引出されると、下部容器３３がＶ扉３２と一体的に前方へ移動する。このとき、上部容器３９が下部容器３３との摩擦力で下部容器３３に追従して前方へ移動し、蓋４５が上部容器３９との摩擦力で上部容器３９に追従して前方へ移動する。
【００２６】
Ｖ扉３２の引出量が１８０ｍｍに達すると、図２の（ａ）に示すように、上部容器３９の各突部４７がストッパ４８に当る。そして、上部容器３９および蓋４５が移動停止し、上部容器３９の手掛部４０が野菜室９の前面から突出する。尚、上部容器３９の各突部４７とストッパ４８との上下方向のラップ量Ｒ1 は、図２の（ｂ）に示すように、傾斜面３７の高さ寸法ΔＨ（＝３ｍｍ）より小さな２ｍｍ程度に設定され、蓋４５の各突部４９とストッパ４８との上下方向のラップ量Ｒ2 は傾斜面３７の高さ寸法ΔＨ（＝３ｍｍ）より大きな５ｍｍ程度に設定されている。
【００２７】
Ｖ扉３２の引出量が１８０ｍｍを越えると、上部容器３９および蓋４５の停止状態で下部容器３３がＶ扉３２と一体的に引出され、上部容器３９の各ローラ４３が第１の支持面３５の後方に位置ずれする。
【００２８】
Ｖ扉３２の引出量が３１４．５ｍｍに達すると、図３に示すように、上部容器３９の各ローラ４３が下部容器３３の第１の支持面３５から傾斜面３７を通過し、第２の支持面３６上に達する。すると、上部容器３９および蓋４５が傾斜面３７に沿って落ち込むことに基づいて上部容器３９の各突部４７とストッパ４８との係合が外れ、蓋４５の各突部４９がストッパ４８に係合する。
【００２９】
Ｖ扉３２の引出量が３１４．５ｍｍを越えると、蓋４５の移動停止状態で上部容器３９が摩擦力で下部容器３３に追従して前方へ移動する。そして、Ｖ扉３２の引出量が最大の３８０ｍｍに達すると（Ｖ扉３２の開放状態）、図４に示すように、上部容器３９の前半部が野菜室９の前面から突出する。これと共に、蓋４５が上部容器３９に対して後方へ位置ずれし、上部容器３９の上面のうち前半部が開放される。尚、上部容器３９の左右両側部には、図７に示すように、壁部５２が一体形成されており、蓋４５は両壁部５２に案内されながら後方へ位置ずれする。
【００３０】
Ｖ扉３２を図４の開放状態から後方へ押込むと、下部容器３３がＶ扉３２と一体的に後方へ移動する。すると、上部容器３９が摩擦力で下部容器３３に追従して後方へ移動し、蓋４５が摩擦力で上部容器３９に追従して後方へ移動する。この後、蓋４５の壁部４６が野菜室９の後壁に当ると、蓋４５の移動停止状態で上部容器３９および下部容器３３が後方へ移動する。そして、Ｖ扉３２が閉鎖状態まで押込まれると、下部容器３３，上部容器３９，蓋４５が図１の状態に復帰する。
【００３１】
上部容器３９の手掛部４０に手を掛け、上部容器３９を図４の状態から前方へ引張ると、上部容器３９が下部容器３３および蓋４５に対して引出される。そして、上部容器３９のプレート４２が下部容器３３の壁部５１に当ると、図５に示すように、上部容器３９の引出動作が拘束され、上部容器３９の略全域が野菜室９の前面から突出する。これと共に、蓋４５が上部容器３９に対して後方へ位置ずれし、上部容器３９の上面の略全域が開放される。
【００３２】
Ｖ扉３２を図５の開放状態から後方へ押込むと、下部容器３３の各壁部５１が上部容器３９のプレート４２を押圧する。すると、上部容器３９が下部容器３３と一体的に後方へ移動し、蓋４５が摩擦力で上部容器３９に追従して後方へ移動する。この後、蓋４５の壁部４６が野菜室９の後壁に当ると、蓋４５の移動停止状態で上部容器３９および下部容器３３が後方へ移動する。そして、Ｖ扉３２が閉鎖状態まで押込まれると、下部容器３３，上部容器３９，蓋４５が図１の状態に復帰する。
【００３３】
冷凍室１６の前端部には、図６の（ａ）に示すように、Ｆ扉５３が装着されている。このＦ扉５３は上述のＶ扉３２と同一構成をなすものであり、Ｆ扉５３の引出時および押込時には下部容器３３，上部容器３９，蓋４５等が上述の挙動を呈する。
【００３４】
上記実施例によれば、Ｖ扉３２およびＦ扉５３の引出途中で上部容器３９の突部４７を係止することに基づいて上部容器３９を移動停止させ、上部容器３９を移動停止状態から落ち込ませることに基づいて突部４７の係止を解除した。このため、Ｆ扉３２およびＶ扉５３の開放状態で上部容器３９が野菜室９内および冷凍室１６内から突出するので、上部容器３９に対して上面から貯蔵品を容易に出入れできる。しかも、Ｆ扉３２およびＶ扉５３の開放状態で上部容器３９が下部容器３３に対して後方へ位置ずれするので、下部容器３３に対して上面から貯蔵品を容易に出入れでき、総じて、下部容器３３および上部容器３９の使い勝手が向上する。
【００３５】
また、上部容器３９が落ち込んだ状態で蓋４５の突部４９を係止した。このため、Ｆ扉３２およびＶ扉５３の開放状態で蓋４５が上部容器３９に対して後方へ位置ずれするので、上部容器３９に対する貯蔵品の出入れ作業性が蓋４５の影響で悪化することが防止される。
また、上部容器３９の前端部にローラ４３を設け、上部容器３９の後端部を下部容器３３の容器支持部３８により支えた。このため、上部容器３９の前端部および後端部の双方にローラ４３を装着する必要がなくなるので、構成が簡単になる。
【００３６】
また、下部容器３３に前方から後方へ向うに従って下降する傾斜面３７を設けた。このため、上部容器３９が傾斜面３７に沿って除々に落ち込むので、上部容器３９が落ち込むときに異音が生じることが防止される。
また、ストッパ４８を金属製の板ばねから構成した。このため、上部容器３９の突部４７および蓋４５の突部４９がストッパ４８に当るときに異音が生じることが防止される。
【００３７】
尚、上記実施例においては、下部容器３３の第１の支持面３５および第２の支持面３６間に傾斜面３７を設けたが、これに限定されるものではなく、例えば垂直な段差を設けても良い。
また、上記実施例においては、仕切ケース１９に板ばね製のストッパ４８を組付けたが、これに限定されるものではなく、例えば仕切ケース１９に下方へ突出するストッパを一体形成しても良い。
【００３８】
【発明の効果】
以上の説明から明らかなように、本発明の冷蔵庫は次の効果を奏する。
請求項１記載の手段によれば、蓋の突部を係止状態に保持した。このため、扉の開放状態で蓋が上部容器に対して後方へ位置ずれするので、上部容器に対する貯蔵品の出入れ作業性が蓋の影響で悪化することが防止される。
【００３９】
請求項２記載の手段によれば、扉の引出途中で上部容器の突部を係止することに基づいて上部容器を移動停止させ、上部容器を移動停止状態から落ち込ませることに基づいて突部の係止を解除した。このため、扉の開放状態で上部容器が貯蔵室内から突出し、しかも、上部容器が下部容器に対して後方へ位置ずれするので、下部容器および上部容器の双方に対して貯蔵品の出入れを行い易くなる。しかも、蓋の突部を係止状態に保持した。このため、扉の開放状態で蓋が上部容器に対して後方へ位置ずれするので、上部容器に対する貯蔵品の出入れ作業性が蓋の影響で悪化することが防止される。
請求項３記載の手段によれば、上部容器の前端部にローラを設け、上部容器の後端部を下部容器の容器支持部により支えたので、構成が簡単になる。
請求項４記載の手段によれば、下部容器に前方から後方へ向うに従って下降する平坦な傾斜状の段差を設けたので、上部容器が落ち込むときに異音が生じることが防止される。
【図面の簡単な説明】
【図１】本発明の一実施例を示す図（Ｖ扉およびＦ扉が閉鎖された状態を図７のＸ1 線に沿って示す断面図）
【図２】（ａ）は上部容器の突部がストッパに係合した状態を示す図１相当図、（ｂ）は図２の（ａ）のＸｂ部を拡大して示す図
【図３】上部容器および蓋が落ち込んだ状態を示す図１相当図
【図４】Ｖ扉およびＦ扉が開放された状態を示す図１相当図
【図５】上部容器がＶ扉およびＦ扉の開放状態で引出された様子を示す図１相当図
【図６】（ａ）はＸａ線に沿う断面図、（ｂ）は矢印Ｘｂ視図
【図７】図１のＸ7 線に沿う断面図
【符号の説明】
９は野菜室（貯蔵室）、１６は冷凍室（貯蔵室）、３２はＶ扉（扉）、３３は下部容器、３７は傾斜面（段差）、３８は容器支持部、３９は上部容器、４３はローラ、４５は蓋、４７は突部、４８はストッパ、４９は突部、５３はＦ扉（扉）を示す。
【図１】
0003657462.tif 000002
【図２】
0003657462.tif 000003
【図３】
0003657462.tif 000004
【図４】
0003657462.tif 000005
【図５】
0003657462.tif 000006
【図６】
0003657462.tif 000007
【図７】
0003657462.tif 000008